(57)【要約】【課題】高齢者または被介護者などのような飲食用ボトルの使用者が、飲食物を誤嚥してしまう可能性を低減する。【解決手段】ストロー１１０と、ストロー１１０が貫通する蓋１０３と、弾性変形部材から形成される容器本体１０１とを備える飲食用ボトル１００が提供される。容器本体１０１の内面に少なくとも１つの凸部１０１Ｌ，１０１Ｍ，１０１Ｒ，１０５が形成される。好ましくは、少なくとも１つの凸部の各々は、容器本体が外側から押された際に、対向する凸部または容器本体の内面に当接する。【選択図】図２
2013103745.tif 000002
【特許請求の範囲】
【請求項１】
ストローと、
前記ストローが貫通する蓋と、
弾性変形部材から形成される容器本体とを備え、
前記容器本体の内面に少なくとも１つの凸部が形成される、飲食用ボトル。
【請求項２】
前記少なくとも１つの凸部の各々は、前記容器本体が外側から押された際に、対向する凸部または前記容器本体の内面に当接する、請求項１に記載の飲食用ボトル。
【請求項３】
前記少なくとも１つの凸部は、対向する２つの凸部を含む、請求項１または２に記載の飲食用ボトル。
【請求項４】
前記少なくとも１つの凸部は、前記容器本体の内面にリング状に形成される、請求項１または２に記載の飲食用ボトル。
【請求項５】
前記容器本体の外面の、前記少なくとも１つの凸部のそれぞれに対応する部分に、前記少なくとも１つの凹部が形成される、請求項１から４のいずれか１項に記載の飲食用ボトル。
【発明の詳細な説明】
【技術分野】
【０００１】
本発明は、飲食用ボトルに関し、特に、高齢者または被介護者などのような飲食物を吸い上げる力が弱い者が使用する飲食用ボトルに関する。
【背景技術】
【０００２】
従来から、高齢者または被介護者などのような飲食物を吸い上げる力が弱い者が使用する飲食用ボトルが知られている。
【０００３】
たとえば、特開２００２−６８２４５号公報（特許文献１）には、可撓性壜容器が開示されている。特開２００２−６８２４５号公報（特許文献１）によると、頂上部に注ぎ口を有する可撓性壜容器において、両上方端部が上方を向いた湾曲管部材を備え、一方の前記上方端部を前記注ぎ口に連通させ、他方の前記上方端部を前記頂上部の内面付近に位置決めする。
【０００４】
また、特開２００８−２１３８４４号公報（特許文献２）には、飲料容器が開示されている。特開２００８−２１３８４４号公報（特許文献２）によると、容器本体と、該容器本体に着脱され前記開口部を覆うとともに、ストロー開口を有するアダプター部材と、前記ストロー開口に着脱可能に挿通された柔軟なストロー飲み口を有するストロー部材とを備えた飲料容器であって、前記容器本体またはアダプター部材に一体に設けた片手用のハンドル部と、前記アダプター部材の上に配置されたフード部材とを有しており、前記フード部材には、前記ストロー開口に対して、上下方向の位置が重ならない箇所に形成されて、前記ストロー開口から延びるストロー飲み口を、傾斜させて外部に露出させるように案内するストロー露出孔を備えており、かつ、前記フード部材が、上下方向に延びる仮想の中心線Ｃの周囲に回動可能とされている。
【先行技術文献】
【特許文献】
【０００５】
【特許文献１】特開２００２−０６８２４５号公報
【特許文献２】特開２００８−２１３８４４号公報
【発明の概要】
【発明が解決しようとする課題】
【０００６】
しかしながら、容器の外壁を両側から押し込むと、ストローから高齢者または被介護者などの口内に多量の飲食物が吐き出されてしまう可能性がある。その結果、高齢者または被介護者などのような飲食物を吸い上げる力が弱い者が、飲食物を誤嚥してしまう可能性がある。
【０００７】
本発明は、かかる問題を解決するためになされたものであり、その目的は、高齢者または被介護者などのような飲食用ボトルの使用者が、飲食物を誤嚥してしまう可能性を低減することである。
【課題を解決するための手段】
【０００８】
この発明のある局面に従うと、ストローと、ストローが貫通する蓋と、弾性変形部材から形成される飲食用ボトルが提供される。容器本体の内面に少なくとも１つの凸部が形成される。
【０００９】
好ましくは、少なくとも１つの凸部の各々は、容器本体が外側から押された際に、対向する凸部または容器本体の内面に当接する。
【００１０】
好ましくは、少なくとも１つの凸部は、対向する２つの凸部を含む。
【００１１】
好ましくは、少なくとも１つの凸部は、容器本体の内面にリング状に形成される。
【００１２】
好ましくは、容器本体の外面の、少なくとも１つの凸部のそれぞれに対応する部分に、少なくとも１つの凹部が形成される。
【発明の効果】
【００１３】
以上のように、この発明によれば、ストローから高齢者または被介護者などの飲食用ボトルの使用者の口内に吐き出される飲食物の量を制限することができるので、当該使用者が飲食物を誤嚥してしまう可能性を低減することができる。
【図面の簡単な説明】
【００１４】
【図１】本実施の形態に係るボトル１００の全体構成を示す斜視図である。
【図２】本実施の形態に係るボトル１００の全体構成を示す正面断面図である。
【図３】本実施の形態に係る容器本体１０１（蓋１０３とストロー１１０とを取り外した状態のボトル１００）を示す平面図である。
【図４】本実施の形態に係るボトル１００の使用方法を示す正面断面図である。
【図５】本実施の形態に係るストロー１１０を狭持するための構成を示す斜視図である。
【図６】容器本体１０１Ｂの第１の変形例を示す平面図である。
【図７】容器本体１０１Ｃの第２の変形例を示す平面図である。
【図８】容器本体１０１Ｄの第３の変形例に係るボトル１００の全体構成を示す正面断面図である。
【図９】容器本体１０１Ｄの第３の変形例を示す平面図である。
【図１０】容器本体１０１Ｄの第３の変形例に係るボトル１００の使用方法を示す正面断図である。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜ボトル１００の全体構成＞
【００１６】
まず、本実施の形態に係るボトル１００の全体構成について説明する。図１は、本実施の形態に係るボトル１００の全体構成を示す斜視図である。図２は、本実施の形態に係るボトル１００の全体構成を示す正面断面図である。図３は、本実施の形態に係る容器本体１０１（蓋１０３とストロー１１０とを取り外した状態のボトル１００）を示す平面図である。
【００１７】
図１から図３を参照して、ボトル１００は、容器本体１０１と、容器本体１０１の上部の外周面を覆うカバー１０２と、容器本体１０１の上端部に取り付けられる蓋１０３と、蓋１０３を貫通するストロー１１０とを含む。
【００１８】
容器本体１０１は、弾性変形部材から形成される。たとえば、容器本体１０１は、シリコンゴムなどのように、使用者に押されることによって撓む材料から形成されている。
【００１９】
容器本体１０１の下部の内周面１０１Ｆには、左凸部１０１Ｌと右凸部１０１Ｒとが形成されている。左凸部１０１Ｌと右凸部１０１Ｒとは、互いに対向して形成される。
【００２０】
容器本体１０１の外周面１０１Ｇには、左凹部１０１Ｘと右凹部１０１Ｙとが形成されている。より詳細には、容器本体１０１の外周面１０１Ｇのうちの、左凸部１０１Ｌに対応する位置に左凹部１０１Ｘが形成され、右凸部１０１Ｒに対応する位置に右凹部１０１Ｙが形成される。
【００２１】
これによって、使用者が、容器本体１０１のうちの、指で押すべき場所を認識し易くなる。なお、本実施の形態に係る容器本体１０１は、使用者が指で押すべき場所をさらに認識し易いように、平面断面視において略楕円形状または略長方形形状となるように形成されている。
【００２２】
容器本体１０１の上部の外周の径は、容器本体１０１の下部の外周の径よりも短い。すなわち、容器本体１０１の外周面には、上下方向の略中央に段差が設けられている。容器本体１０１の上部の外周面には、カバー１０２が嵌められる。換言すれば、カバー１０２に、容器本体１０１の上部が挿入される。
【００２３】
カバー１０２は、容器本体１０１よりも剛性が高い部材から形成される。カバー１０２の上部の外周には、狭持部１０２Ａが形成されている。後述するように（図５を参照。）、狭持部１０２Ａは、ストロー１１０を挟むことができる。
【００２４】
容器本体１０１の上部には、蓋１０３が取り付けられる。本実施の形態においては、容器本体１０１の上部に、カバー１０２を介して、蓋１０３が取り付けられる。より詳細には、容器本体１０１の上部にカバー１０２が嵌められる。カバー１０２の外周の上端部にネジ溝が形成され、蓋１０３の内周の下端部にもネジ溝が形成される。つまり、カバー１０２の上端部が雄ネジを構成し、蓋１０３の下端部が雌ネジを形成する。ただし、カバー１０２の上端部が雌ネジを構成し、蓋１０３の下端部が雄ネジを形成してもよい。
【００２５】
あるいは、容器本体１０１の上端部に、蓋１０３が直接的に着脱自在に取り付けられてもよい。たとえば、容器本体１０１の外周の上端部にネジ溝が形成され、蓋１０３の内周の下端部にもネジ溝が形成される。つまり、容器本体１０１の上端部が雄ネジを構成し、蓋１０３の下端部が雌ネジを形成する。ただし、容器本体１０１の上端部が雌ネジを構成し、蓋１０３の下端部が雄ネジを形成してもよい。
【００２６】
このように、ボトル１００は、少なくとも容器本体１０１と蓋１０３と（および／またはカバー１０２）によって、容器本体１０１内部の空間が密閉可能に構成されていればよい。
【００２７】
蓋１０３の平面視における中央部には、ストロー孔１０３Ａが形成される。このような構成により、蓋１０３を容器本体１０１に取り付けることによって、ストロー孔１０３Ａ以外においてボトル１００を密閉することができる。
【００２８】
ストロー１１０は、シリコンゴムなどの弾性変形部材によって構成される。ストロー１１０は、その下端部が容器本体１０１の底の近辺まで達するように、蓋１０３に取り付けられることが好ましい。
＜ボトル１００の使用方法＞
【００２９】
次に、本実施の形態に係るボトル１００の使用方法について説明する。図４は、本実施の形態に係るボトル１００の使用方法を示す正面断図である。
【００３０】
図１〜４を参照して、高齢者や被介護者など（以下、使用者ともいう。）の補助者は、ストロー１１０と蓋１０３とを容器本体１０１から取り外すことによって、容器本体１０１内に飲料を入れる。補助者は、蓋１０３を容器本体１０１の上部に取り付ける。補助者は、蓋１０３のストロー孔１０３Ａにストロー１１０を貫通させる。これによって、使用者が、飲料を飲む準備が整う。
【００３１】
使用者が、ボトル１００内の飲料を飲む際には、指で左凹部１０１Ｘおよび右凹部１０１Ｙを押す。これによって、ボトル１００内の圧力が高まり、ストロー１１０から飲料が出てくる。つまり、使用者が、ストロー１１０から飲料を吸い出す力を有していなくても、指の力でストロー１１０から飲料を摂取することができる。
【００３２】
本実施の形態に係るボトル１００においては、使用者が指で左凹部１０１Ｘおよび右凹部１０１Ｙを一定距離だけ押し込むと、左凸部１０１Ｌと右凸部１０１Ｒとが当接する。換言すれば、使用者は、左凸部１０１Ｌと右凸部１０１Ｒとが当接するまでしか、左凹部１０１Ｘおよび右凹部１０１Ｙを押し込むことができない。
【００３３】
なお、上述したように、ストロー１１０は、弾性変形部材によって構成される。ストロー１１０は、常に湾曲していることによって、使用者が指で左凹部１０１Ｘおよび右凹部１０１Ｙを押し込んだ際に、左凸部１０１Ｌと右凸部１０１Ｒとに当接しないように配置されてもよい。あるいは、ストロー１１０は、使用者が指で左凹部１０１Ｘおよび右凹部１０１Ｙを押し込んだ際に、左凸部１０１Ｌと右凸部１０１Ｒとによって挟まれてもよい。また、ストロー１１０は、使用者が指で左凹部１０１Ｘおよび右凹部１０１Ｙを押し込んだ際に、左凸部１０１Ｌと右凸部１０１Ｒとに押しのけられてもよい。
【００３４】
本実施の形態に係るボトル１００は、このように構成されているため、ストロー１１０から使用者の口内に吐き出される飲料の量が制限される。その結果、手の震えや突発的な筋肉の痙攣が生じても、使用者が、飲食物を誤嚥してしまう可能性を低減することができる。つまり、本実施の形態に係るボトル１００は、ボトル１００全体を細くする（ボトル１００の容量を大きく減らす）ことなく、使用者の口内に吐き出される飲料の量を制限することができる。
＜ストロー１１０の狭持するための構成＞
【００３５】
次に、本実施の形態に係るストロー１１０を狭持するための構成について説明する。図５は、本実施の形態に係るストロー１１０を狭持するための構成を示す斜視図である。
【００３６】
図５を参照して、本実施の形態に係るボトル１００においては、カバー１０２に狭持部１０２Ａが形成されている。補助者または使用者は、使用者がボトル１００の飲料を飲まないときは、ストロー１１０のうちの蓋１０３の上方に位置する部分を折り曲げて、ストロー１１０を上部を狭持部１０２Ａに挟み込む。ストロー１１０が折れ曲がって保持されることによって、ストロー１１０から飲料がこぼれることを防止することができる。
＜容器本体の第１の変形例＞
【００３７】
上記の実施の形態に係るボトル１００においては、容器本体１０１の内周面に、左凸部１０１Ｌと右凸部１０１Ｒとが形成されている。しかしながら、容器本体の形状は、そのようなものに限定されない。以下では、容器本体の第１の変形例について説明する。
【００３８】
図６は、容器本体１０１Ｂ（蓋１０３とストロー１１０とを取り外した状態のボトル１００）の第１の変形例を示す平面図である。
【００３９】
図６を参照して、本変形例に係る容器本体１０１Ｂも、シリコンゴムなどの弾性変形部材から形成される。容器本体１０１Ｂの内周面には、リング状の凸部１０１Ｍが形成されている。より詳細には、容器本体１０１Ｂの下部の内周面に、上記の実施の形態の左凸部１０１Ｌと同様の上下方向の長さを有する、リング状（腹巻状）の凸部１０１Ｍが形成されている。
【００４０】
そして、容器本体１０１Ｂの外周面には、凹部とが形成されている。より詳細には、容器本体１０１Ｂの外周面のうちの、凸部１０１Ｍに対応する位置に凹部が形成される。
【００４１】
本変形例に係るボトル１００においても、使用者が指で凹部の一部を一定距離だけ押し込むと、凸部１０１Ｍのうちの対向する部分同士が当接する。換言すれば、使用者は、凸部１０１Ｍの対向する部分同士が当接するまでしか、凹部を押し込むことができない。
【００４２】
その他の構成については、上記の実施の形態と同様であるため、ここでは説明を繰り返さない。
【００４３】
本変形例に係るボトル１００は、このように構成されているため、ストロー１１０から使用者の口内に吐き出される飲料の量が制限される。その結果、手の震えや突発的な筋肉の痙攣が生じても、使用者が飲食物を誤嚥してしまう可能性を低減することができる。つまり、ボトル１００全体を細くする（ボトル１００の容量を大きく減らす）ことなく、使用者の口内に吐き出される飲料の量を制限することができる。
＜容器本体の第２の変形例＞
【００４４】
上記の実施の形態に係るボトル１００においては、容器本体１０１の内周面に、左凸部１０１Ｌと、右凸部１０１Ｒとが形成されている。しかしながら、容器本体の形状は、そのようなものに限定されない。以下では、容器本体の第２の変形例について説明する。
【００４５】
図７は、容器本体１０１Ｃ（蓋１０３とストロー１１０とを取り外した状態のボトル１００）の第２の変形例を示す平面図である。
【００４６】
図７を参照して、本変形例に係る容器本体１０１Ｃも、シリコンゴムなどの弾性変形部材から形成される。容器本体１０１Ｃの下部の内周面には、左凸部１０１Ｌが形成されている。
【００４７】
容器本体１０１Ｃの外周面には、左凹部１０１Ｘが形成されている。より詳細には、容器本体１０１Ｃの外周面のうちの、左凸部１０１Ｌに対応する位置に左凹部１０１Ｘが形成される。
【００４８】
本変形例に係るボトル１００においても、使用者が指で左凹部１０１Ｘを一定距離だけ押し込むと、対応する左凸部１０１Ｌが対向する容器本体１０１Ｃの内周面１０１Ｆに当接する。換言すれば、使用者は、左凸部１０１Ｌが対向する容器本体１０１Ｃの内周面１０１Ｆに当接するまでしか、左凹部１０１Ｘを押し込むことができない。
【００４９】
その他の構成については、上記の実施の形態と同様であるため、ここでは説明を繰り返さない。
【００５０】
本変形例に係るボトル１００は、このように構成されているため、ストロー１１０から使用者の口内に吐き出される飲料の量が制限される。その結果、手の震えや突発的な筋肉の痙攣が生じても、使用者が飲食物を誤嚥してしまう可能性を低減することができる。つまり、ボトル１００全体を細くする（ボトル１００の容量を大きく減らす）ことなく、使用者の口内に吐き出される飲料の量を制限することができる。
＜容器本体の第３の変形例＞
【００５１】
上記の実施の形態に係るボトル１００においては、容器本体１０１の内周面に、左凸部１０１Ｌと右凸部１０１Ｒとが形成されている。しかしながら、使用者の口内に吐き出される飲料の量を制限するための構成は、そのようなものに限定されない。以下では、容器本体の第３の変形例について説明する。
【００５２】
図８は、容器本体１０１Ｄの第３の変形例に係るボトル１００の全体構成を示す正面断面図である。図９は、容器本体１０１Ｄ（蓋１０３とストロー１１０とを取り外した状態のボトル１００）の第３の変形例を示す平面図である。
【００５３】
図８および図９を参照して、本変形例に係る容器本体１０１Ｄも弾性変形部材から形成される。容器本体１０１Ｄの内部には、平面視において略中央部に芯１０５が形成されている。より詳細には、容器本体１０１Ｄの下面から上方に向けて、芯１０５（凸部）が取り付けられて（形成されて）いる。なお、容器本体の内周面と下面とを合わせて、容器本体の内面というものとする。
【００５４】
次に、本変形例に係るボトル１００の使用方法について説明する。図１０は、容器本体１０１Ｄの第３の変形例に係るボトル１００の使用方法を示す正面断図である。
【００５５】
図１０を参照して、本変形例に係るボトル１００においては、使用者が指で容器本体１０１Ｄの外周面１０１Ｇの一部を一定距離だけ押し込むと、容器本体１０１Ｄの内周面１０１Ｆが芯１０５に当接する。換言すれば、使用者は、容器本体１０１Ｄの内周面１０１Ｆが芯１０５に当接するまでしか、容器本体１０１Ｄの外周面１０１Ｇを押し込むことができない。
【００５６】
その他の構成については、上記の実施の形態と同様であるため、ここでは説明を繰り返さない。
【００５７】
本変形例に係るボトル１００は、このように構成されているため、ストロー１１０から使用者の口内に吐き出される飲料の量が制限される。その結果、手の震えや突発的な筋肉の痙攣が生じても、使用者が飲食物を誤嚥してしまう可能性を低減することができる。つまり、ボトル１００全体を細くする（ボトル１００の容量を大きく減らす）ことなく、使用者の口内に吐き出される飲料の量を制限することができる。
【００５８】
なお、本実施の形態に係るボトル１００においては、異なる種類の凸部（左凸部１０１Ｌ、右凸部１０１Ｒ、リング状凸部１０１Ｍ、芯１０５、またはその他の凸部）を組み合わせたものであってもよい。たとえば、使用者が指で容器本体の外周面１０１Ｇの一部を一定距離だけ押し込むと、左凸部１０１Ｌ、右凸部１０１Ｒ、リング状凸部１０１Ｍ、またはその他の凸部が、芯１０５に当接するように構成されたボトル１００であってもよい。
【００５９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６０】
１００  ボトル
１０１，１０１Ｂ，１０１Ｃ，１０１Ｄ  容器本体
１０１Ｆ  内周面
１０１Ｇ  外周面
１０１Ｌ  左凸部
１０１Ｍ  凸部
１０１Ｒ  右凸部
１０１Ｘ  左凹部
１０１Ｙ  右凹部
１０２  カバー
１０２Ａ  狭持部
１０３  蓋
１０３Ａ  ストロー孔
１０５  芯
１１０  ストロー
【図１】
2013103745.tif 000003
【図２】
2013103745.tif 000004
【図３】
2013103745.tif 000005
【図４】
2013103745.tif 000006
【図５】
2013103745.tif 000007
【図６】
2013103745.tif 000008
【図７】
2013103745.tif 000009
【図８】
2013103745.tif 000010
【図９】
2013103745.tif 000011
【図１０】
2013103745.tif 000012